(57)【要約】      （修正有）【課題】傾斜できると共に簡易な構造で簡単に付けたり外したりできる音源モジュールを提供する。【解決手段】音源モジュール１０は、互いに距離をあけて縁部１４の長手方向の両方の端部に設けられる係合部を備えている。鍵盤モジュールが係合部により着脱可能に係合するので、音源モジュール１０を鍵盤モジュールに簡単に付けたり外したりすることができる。係合部４０、４８は同一の直線上に位置するので、鍵盤モジュール１０に対して係合部を軸にして正面部を傾いた状態に支持することで、鍵盤モジュールに対して音源モジュール１０を傾けることができる。【選択図】図２
2017049301.tif 000002
【特許請求の範囲】
【請求項１】
楽音を生成する音源モジュールであって、
正面部と、前記正面部の反対側に位置する背面部と、前記背面部および前記正面部を連絡する縁部とを備え、
前記正面部は、ユーザにより操作される操作子を備え、
前記縁部は、互いに距離をあけて前記縁部の長手方向の両方の端部に設けられると共に同一の直線上に位置する係合部を備え、
前記係合部は、ユーザにより操作される鍵盤を備える鍵盤モジュールが着脱可能に係合し、
前記背面部は、前記係合部に係合した前記鍵盤モジュールに対して前記係合部を軸にして前記正面部を傾いた状態に支持する音源側支持部を備える音源モジュール。
【請求項２】
前記係合部は、前記端部に配置される軸部と、前記縁部の長手方向の外側へ向かって前記軸部を軸方向へ付勢するバネと、を備える請求項１記載の音源モジュール。
【請求項３】
前記軸部および前記バネは、前記縁部の長手方向の一方の前記端部に配置される請求項２記載の音源モジュール。
【請求項４】
前記縁部は、前記バネを圧縮して前記軸部を前記縁部側へ後退させた状態で前記軸部を前記縁部に固定する固定部を備える請求項２又は３に記載の音源モジュール。
【請求項５】
前記縁部は、両方の前記端部と前記正面部とを連絡する側面が、外側に凸の湾曲状に形成されている請求項１から４のいずれかに記載の音源モジュール。
【請求項６】
請求項１から５のいずれかに記載の音源モジュールと結合できる、ユーザにより操作される鍵盤を備える鍵盤モジュールであって、
基台と、
前記基台に配列された鍵盤と、
前記鍵盤の配列方向と平行な直線と交差しつつ互いに対向する側壁と、
前記側壁にそれぞれ設けられる、前記鍵盤の配列方向と平行な同一の直線上に位置する被係合部と、を備え、
前記被係合部は、前記音源モジュールの両方の端部に設けられた係合部とそれぞれ着脱可能に係合し、
前記基台は、前記被係合部を軸にして、前記被係合部に係合した前記音源モジュールを傾いた状態に支持する鍵盤側支持部を備える鍵盤モジュール。
【請求項７】
請求項１から５のいずれかに記載の前記音源モジュールと、前記音源モジュールの前記係合部に前記被係合部が係合した請求項６記載の前記鍵盤モジュールとを備えていることを特徴とする電子楽器。
【発明の詳細な説明】
【技術分野】
【０００１】
本発明は楽音を生成する音源モジュール、鍵盤を備える鍵盤モジュール及び電子楽器に関するものである。
【背景技術】
【０００２】
楽音を形成する音源モジュールと鍵盤を備える鍵盤モジュールとを自由に組合せて演奏できる電子楽器がある。このような電子楽器の一例が特許文献１に開示されている。特許文献１に開示される技術では、鍵盤モジュールに対して傾斜するラックマウント部材にネジで音源モジュールが固定されている。ネジを取り外すことにより鍵盤モジュールと音源モジュールとを分離できるので演奏者の好みの音源モジュールを選択して固定できる上、ラックマウント部材を支持するチルト機構により鍵盤モジュールに対し音源モジュールを傾斜させる事ができるので選択した音源モジュールを演奏者の好みの姿勢に傾斜させて使用することができる。
【先行技術文献】
【特許文献】
【０００３】
【特許文献１】特開２００７−８６３０６号公報
【発明の概要】
【発明が解決しようとする課題】
【０００４】
しかしながら上記従来の技術では、鍵盤モジュールに結合するラックマウント部材と音源モジュールとを分離するためにネジを取り外す作業が煩雑であるため、鍵盤モジュールと音源モジュールとを一体化して演奏現場へ持ち運ぶことは可能であっても、演奏現場において即座に所望の音源モジュールへ着け替えることは困難である。また、ネジを取り外すためにドライバーなどの工具を演奏現場へ持参する必要が生じる欠点がある。
【０００５】
また、上記従来の技術では、鍵盤モジュールに対して傾斜するラックマウント部材を支持するチルト機構は構造が複雑化するため、コストが掛かるという問題点がある。
【０００６】
本発明は上述した問題点を解決するためになされたものであり、互いに傾斜できると共に簡易な構造で簡単に付けたり外したりできる音源モジュール、鍵盤モジュール及び電子楽器を提供することを目的とする。
【課題を解決するための手段および発明の効果】
【０００７】
この目的を達成するために請求項１記載の音源モジュールによれば、正面部と、正面部の反対側に位置する背面部と、背面部および正面部を連絡する縁部とを備えている。正面部は、ユーザにより操作される操作子を備え、縁部は、互いに距離をあけて縁部の長手方向の両方の端部に設けられる係合部を備えている。ユーザにより操作される鍵盤を備える鍵盤モジュールが、係合部により着脱可能に係合するので、鍵盤モジュールを簡単に付けたり外したりすることができる。係合部は同一の直線上に位置するので、背面部が備える音源側支持部により、係合部に係合した鍵盤モジュールに対して係合部を軸にして正面部を傾いた状態に支持することで、鍵盤モジュールに対して音源モジュールを傾けることができる。正面部を傾斜させる軸と係合部とを兼用できるので、音源モジュール及び鍵盤モジュールを互いに傾斜できると共に、簡易な構造で簡単に付けたり外したりできる効果がある。
【０００８】
請求項２記載の音源モジュールによれば、係合部は、端部に配置される軸部を、縁部の長手方向の外側へ向かって軸方向へバネが付勢する。鍵盤モジュールに軸部が係合することにより、鍵盤モジュールに音源モジュールが装着される。縁部の長手方向の内側へ向かってバネの付勢力に抗して軸部を移動させることで、鍵盤モジュールから音源モジュールを脱着できる。よって、請求項１の効果に加え、音源モジュール及び鍵盤モジュールの着脱を容易にできる効果がある。
【０００９】
請求項３記載の音源モジュールによれば、軸部およびバネは、縁部の長手方向の一方の端部に配置されるので、軸部およびバネが両方の端部に配置される場合に比べて、音源モジュール及び鍵盤モジュールの着脱のときに操作する軸部の数を減らすことができる。よって、請求項２の効果に加え、音源モジュール及び鍵盤モジュールの着脱をさらに容易にできる効果がある。
【００１０】
請求項４記載の音源モジュールによれば、縁部は、固定部により、バネを圧縮して軸部を縁部側へ後退させた状態で軸部を固定できるので、縁部から軸部が突出する長さを短くできる。軸部を突出し難くできるので、請求項２又は３の効果に加え、音源モジュールを鍵盤モジュールから取り外した状態で持ち運び易くできる効果がある。
【００１１】
請求項５記載の音源モジュールによれば、縁部は、両方の端部と正面部とを連絡する側面が、外側に凸の湾曲状に形成されているので、係合部を中心にして傾斜する音源モジュールの縁部と鍵盤モジュールとの隙間を小さくしても、音源モジュールと鍵盤モジュールとを干渉させ難くできる。よって、請求項１から４のいずれかの効果に加え、音源モジュールの縁部と鍵盤モジュールとの隙間を小さくできる効果がある。
【００１２】
請求項６記載の鍵盤モジュールによれば、ユーザにより操作される鍵盤を備え、請求項１から５のいずれかに記載の音源モジュールと結合できる。鍵盤モジュールは基台に鍵盤が配列され、鍵盤の配列方向と平行な直線と交差しつつ互いに対向する側壁が設けられる。音源モジュールの両方の端部に設けられた係合部が、側壁にそれぞれ設けられる被係合部に着脱可能に係合するので、ラックマウント部材を追加することなく、鍵盤モジュールに音源モジュールを簡単に付けたり外したりすることができる。被係合部は鍵盤の配列方向と平行な同一の直線上に位置するので、基台が備える鍵盤側支持部により、基台に対して被係合部を軸にして、被係合部に係合した音源モジュールを傾いた状態に支持することで、鍵盤モジュールに対して音源モジュールを傾けることができる。音源モジュールを傾斜させる軸と被係合部とを兼用できるので、音源モジュール及び鍵盤モジュールを互いに傾斜できると共に簡単に付けたり外したりできる効果がある。
【００１３】
請求項７記載の電子楽器によれば、請求項１から５のいずれかの音源モジュールと、音源モジュールの係合部に被係合部が係合した請求項６の鍵盤モジュールとを備えている。音源モジュールが、係合部により着脱可能に鍵盤モジュールの被係合部に係合するので、鍵盤モジュールに音源モジュールを簡単に付けたり外したりすることができる。係合部は同一の直線上に位置するので、音源側支持部により、鍵盤モジュールに対して音源モジュールを傾けることができる。互いを傾斜させる軸と係合部とを兼用できるので、音源モジュール及び鍵盤モジュールを互いに傾斜できると共に簡単に付けたり外したりできる効果がある。
【図面の簡単な説明】
【００１４】
【図１】本発明の一実施の形態における音源モジュールの正面部側から見た斜視図である。
【図２】音源モジュールの背面部側から見た斜視図である。
【図３】図１の矢印ＩＩＩで示す部分を拡大して示す音源モジュールの斜視図である。
【図４】図２の矢印ＩＶで示す部分を拡大して示す音源モジュールの斜視図である。
【図５】係合部の斜視図である。
【図６】係合部の斜視図である。
【図７】鍵盤モジュールの斜視図である。
【図８】鍵盤モジュールの斜視図である。
【図９】音源モジュールの背面部側から見た電子楽器の斜視図である。
【図１０】電子楽器の正面図である。
【図１１】図１０の矢印ＸＩ−ＸＩにおける電子楽器の断面図である。
【図１２】電子楽器の断面図である。
【発明を実施するための形態】
【００１５】
以下、本発明の好ましい実施の形態について添付図面を参照して説明する。図１から図６を参照して音源モジュール１０について説明する。図１は正面部１１側から見た音源モジュール１０の斜視図であり、図２は背面部１６側から見た音源モジュール１０の斜視図である。音源モジュール１０は楽音（再生音）を電子的に生成するための装置であり、横長の矩形の盤状に形成されている。音源モジュール１０は鍵盤モジュール５０と結合してシンセサイザと呼ばれる電子楽器９０（いずれも後述する）を構成する。
【００１６】
図１に示すように音源モジュール１０は、矩形の正面部１１と、正面部１１の向かい合う短辺に連絡し、互いに向かい合う矩形の第１側部１３と、第１側部１３の短辺と正面部１１の長辺とに連絡する縁部１４と、第１側部１３の短辺と正面部１１の長辺とに連絡する、縁部１４と向かい合う第２側部１５とを備えている。正面部１１は、ユーザにより操作される複数の操作子１２が配置されている。操作子１２は、楽音の音程、音色、音量を調整するためのスイッチやつまみである。リボンコントローラ１２ａ（操作子１２の一部）は、パラメータの割り当てを変更することで、ユーザが触れた位置に基づき発音を指示することも可能な入力装置である。
【００１７】
音源モジュール１０は、鍵盤モジュール５０（後述する）の操作に基づき楽音を発生させるのみならず、リボンコントローラ１２ａからの発音指示により、単体でも電子楽器として動作する。また、音源モジュール１０は、鍵盤モジュール５０（後述する）の操作や操作子１２の操作に基づき楽音を発生させるのみならず、鍵盤モジュール５０や操作子１２の操作に基づき楽音発生に関する情報（例えばＭＩＤＩデータ）を生成し、第２側部１５に設けられた出力端子１５ａ（図９参照、ＭＩＤＩ出力端子等）から送信して外部音源機器（図示せず）を発音させることができる。
【００１８】
図２に示すように音源モジュール１０は、正面部１１（図１参照）の反対側に矩形の背面部１６を備えている。背面部１６は、長手方向の両側（第１側部１３近く）に収容部１７及びスピーカ２０がそれぞれ設けられている。収容部１７は、電力を供給するための電池が収容される部位であり、電池が接続される電極が内部に配置されている。電池は電子楽器９０（後述する）の電力源である。図２は、収容部１７の蓋を閉じた状態（電池を視認できない状態）が図示されている。スピーカ２０は、音源モジュール１０が生成した楽音を放射するための装置であり、背面視が方形状に形成された第１凹部１８の底面１９に配置されている。
【００１９】
第１凹部１８は、縁部１４寄りを除く３方が壁で囲まれており、第２側部１５寄りの壁にコネクタ２１が設けられている。第１凹部１８はコネクタ２１と対向する壁が省略（開放）されているので、縁部１４側の背面部１６の端面２２に第１凹部１８の底面１９が連絡する。端面２２は段差状に形成されており、背面部１６の長辺に沿って延びる基部２３が、端面２２の正面部１１寄りに設けられている。基部２３は、縁部１４の長手方向の両方の端部と正面部１１とを連絡する側面２４を支持する部位である。基部２３及び側面２４は縁部１４の一部を構成する部位であり、側面２４は、長辺に直交する断面が、外側に凸の湾曲状に形成されており、正面部１１に連接されている。
【００２０】
背面部１６は、収容部１７とスピーカ２０との間に、背面視が矩形状の第２凹部２５が形成されている。第２凹部２５は端面２２と連絡する窪みである。第２凹部２５には、背面部１６の短手方向の中央に、縁部１４と平行に延びる第１凹み２６及び第２凹み２７（音源側支持部）が形成されている。第２凹み２７は、第１凹み２６よりも基台５１の長手方向の両側に位置する。第２凹部２５は、第１凹み２６と第２凹部２５との境界の、縁部１４から遠い側から背面部１６の厚さ方向へ第１凸部２６ａが突出する。第１凸部２６ａは、基台５１の長手方向に所定の間隔（第１スタンド６６（後述する）の幅より狭い間隔）をあけて２つ設けられている。
【００２１】
背面部１６は、収容部１７及びスピーカ２０と第２側部１５との間に、背面部１６の長辺に沿って延びる横溝２８が形成されている。横溝２８は第２凹部２５と連絡し、第２凹部２５は、背面部１６の長辺に沿って形成された切れ目２９により第２側部１５と連絡する。背面部１６は、第２側部１５から第１凹み２６へ（短手方向の端から中央へ）向かって延びる突起３０が、第２凹部２５の切れ目２９の両側に設けられている。背面部１６は、厚さ方向に突出する第２凸部３１が、切れ目２９近くの第２凹部２５に設けられている。背面部１６は、厚さ方向に突出する脚部３２が四隅に設けられている。音源モジュール１０は、縁部１４の長手方向の両方の端部に係合部４０，４８が設けられている。
【００２２】
図３から図６を参照して係合部４０，４８について説明する。係合部４０，４８は、音源モジュール１０が鍵盤モジュール５０（後述する）に結合する部位である。図３は図１の矢印ＩＩＩで示す部分を拡大して示す音源モジュール１０の斜視図である。係合部４０は、縁部１４の側面２４の背面に配置された軸部４１を備えている。軸部４１は円柱状に形成されており、軸方向が縁部１４の長辺方向と一致し、軸部４１の先端が第１側部１３よりも外側に突出する。
【００２３】
図４は図２の矢印ＩＶで示す部分を拡大して示す音源モジュール１０の斜視図である。係合部４８は断面Ｕ字状に形成される部位であり、湾曲した側面２４の内側面、且つ、基部２３の長手方向の外側に配置されている。係合部４８は、縁部１４の長手方向と一致する方向に延びる切り込み４９が、円筒状の壁面に形成されている。切り込み４９により、円筒状の壁面の周の一部（側面２４に結合する部位と反対側の部位）が、軸方向に亘って除去される。係合部４８は、切り込み４９により、縁部１４の長手方向と直交する断面形状が優弧となる。係合部４８の軸心と軸部４１（図３参照）の軸心とは、縁部１４の長手方向に沿う同一の直線上に位置する。係合部４８は、側面２４の長手方向の端面より内側（図４左側）に先端が位置する。
【００２４】
図５及び図６を参照して係合部４０について説明する。図５及び図６は係合部４０の斜視図である。係合部４０は、縁部１４の長手方向へ延びる軸部４１が、縁部１４に対して出入する部位である。図５に示すように係合部４０は、軸部４１と、軸部４１と一体化されると共に軸部４１の側面から径方向の外側に突出するレバー４２と、軸部４１を囲む円筒状の囲み部４３と、軸部４１の軸方向の端部（後端）と基部２３との間に配置されるバネ４７（コイルスプリング）とを備えている。軸部４１は、バネ４７により軸方向の外側へ付勢される。
【００２５】
囲み部４３は、軸部４１を軸方向へ移動可能に支持する部材であり、湾曲した側面２４の内側面、且つ、基部２３の長手方向の外側に配置されている。囲み部４３は、レバー４２が挿通されて囲み部４３の径方向の外側にレバー４２の先端を突出させる溝部４４が形成されている。溝部４４は、第１溝４５と、第１溝４５から囲み部４３の周方向へ延びる第２溝４６とを備えている。
【００２６】
第１溝４５は、縁部１４の長手方向の外側（図５右側）の内面が、第２溝４６の縁部１４の長手方向の外側の内面より、囲み部４３の軸方向の外側（軸部４１の先端側）に位置する。第１溝４５は、軸方向の長さが、第２溝４６の軸方向の長さより大きく設定されている。図５に示すように、バネ４７により付勢された軸部４１のレバー４２が第１溝４５の内面に当接すると、軸部４１は側面２４の長手方向の端面より外側に先端が突出する。このときは、バネ４７の弾性変形によって、側面２４の長手方向の端面と同じ位置まで軸部４１の先端を後退させることができる。
【００２７】
図６に示すように、ユーザがレバー４２（固定部の一部）を第１溝４５から移動させて、バネ４７による付勢力に抗して第２溝４６（固定部の一部）の内面にレバー４２を当接すると、バネ４７が圧縮された状態が維持され、軸部４１は側面２４の長手方向の端面より内側（又は端面の位置）に先端が位置する。これにより、縁部１４（側面２４）の長手方向の外側に軸部４１が突出しないようにできるので、音源モジュール１０を持ち運ぶとき等に、相手材が当たって軸部４１が損傷したり軸部４１によって相手材が損傷したりすることを防止できる。また、音源モジュール１０の幅方向に軸部４１が突出しないので、軸部４１を縮めた分だけ音源モジュール１０の幅を小さくすることができ、持ち運び易くできる。
【００２８】
図７及び図８を参照して鍵盤モジュール５０について説明する。図７及び図８は鍵盤モジュール５０の斜視図である。図７は第１スタンド６６及び第２スタンド６７（後述する）が伏した状態であり、フラットケーブル７７が接続された状態が図示されている。但し、図７はフラットケーブル７７の中間部分の図示が省略されている。図８は第１スタンド６６及び第２スタンド６７が起立した状態が図示されている。
【００２９】
図７に示すように鍵盤モジュール５０は、ユーザの操作によって発音のトリガーを与える鍵盤５４が設置される装置であり、横長の矩形の盤状に形成されている。鍵盤モジュール５０は、横長の矩形の板状の基台５１と、基台５１の短辺に立設されると共に互いに対向する板状の側壁５２，５３と、基台５１の長辺が延びる方向と配列方向とを一致させて側板５２，５３間の基台５１に配置される鍵盤５４とを備えている。
【００３０】
鍵盤５４は、横幅（配列方向の寸法）が、基台５１の長辺の長さとほぼ等しく、奥行きが、基台５１の短辺の長さの約１／２に設定されている。その結果、基台５１は、鍵盤５４の奥行方向の奥側（図７右手前）の側壁５２，５３に挟まれた領域に、鍵盤５４のない空きスペースが形成される。側壁５２，５３の間隔は音源モジュール１０（図１参照）の横幅より僅かに大きく設定されるので、側壁５２，５３間の基台５１の空きスペースに音源モジュール１０が装着される。装着後は、音源モジュール１０の横幅は側壁５２，５３の間隔とほぼ等しいので、一般的な電子楽器と同様に１台の電子楽器として一体的に扱うことができる。例えば、持ち運ぶとき等に、相手材が当たって音源モジュール１０が損傷したり音源モジュール１０によって相手材が損傷したりすることを板状の側壁５２，５３によって防止できる。
【００３１】
鍵盤モジュール５０は、鍵盤５４の奥行方向の奥側に隣り合わせて横長の横板５５が配置されている。横板５５は、側壁５２，５３の高さの約１／２の高さに設置されており、長さが、基台５１の長辺の長さとほぼ等しく設定されている。横板５５は、電気回路が形成された基板が裏面に固着されている。
【００３２】
基台５１は４カ所に窪み５６が形成されている。窪み５６は音源モジュール１０の脚部３２が収容される部位である。基台５１は、長辺の中央を除き、長辺に沿って突条状の突条部５７が設けられている。突条部５７は基台５１の剛性を高める部位であり、音源モジュール１０の横溝２８に収容される。基台５１の窪み５６及び音源モジュール１０の横溝２８により、基台５１（突条部５７）と音源モジュール１０（脚部３２）とが干渉しないようにできる。
【００３３】
側壁５２，５３は、横板５５の上方に突部５８、孔部５９（被係合部）がそれぞれ設けられている。突部５８は、側壁５３へ向かって側壁５２から突出する円柱状の軸状部材であり、孔部５９は、側壁５３を厚さ方向に貫通する円形の貫通孔である。突部５８の軸心と孔部５９の中心とは、基台５１の長辺に平行な同一の直線上に位置する。突部５８の直径は、音源モジュール１０の係合部４８の内径よりわずかに小さく、孔部５９の内径は、音源モジュール１０の軸部４１の直径よりわずかに大きく設定されている。突部５８の直径は、音源モジュール１０の係合部４８に形成された切り込み４９の幅（周方向の間隔）より大きく設定されている。
【００３４】
基台５１は、突条部５７が省略された長辺の中央部分に、平面視が十字形状のカバー６０が配置されている。カバー６０は、基台５１との間にスペースを確保するための板状の部材であり、厚さ方向に貫通する挿通孔６１が形成されている。カバー６０は音源モジュール１０の切れ目２９に対応する位置に設けられている。挿通孔６１は音源モジュール１０の第２凸部３１が挿入される部位である。基台５１とカバー６０との間に平面視が十字形状の移動部６２が、カバー６０から端部がはみ出した状態で配置されている。移動部６２は、ユーザの操作によって基台５１とカバー６０との間で基台５１の短辺方向に移動する板状の部材であり、カバー６０からはみ出す爪部６３が一体に形成されている。爪部６３は、音源モジュール１０の突起３０に係合する部位であり、鍵盤５４の奥行方向の奥側（図７右手前）へ向かって突出する。
【００３５】
第１スタンド６６（鍵盤側支持部、スタンドの一部）及び第２スタンド６７（鍵盤側支持部、スタンドの一部）は、鍵盤モジュール５０に対して音源モジュール１０が傾斜した状態を維持するための部材である。第１スタンド６６に係止片６８が固定されている。係止片６８は、第１スタンド６６及び第２スタンド６７を基台５１に伏せた状態に維持するための部材である。
【００３６】
図８に示すように第１スタンド６６及び第２スタンド６７は、門型に形成されると共に、カバー６０の近くに配置された軸７０，７１により基台５１にそれぞれ固定される。ねじりばね７２，７３は軸７０，７１を中心に起立する方向へ第１スタンド６６及び第２スタンド６７を付勢する部材であり、軸７０，７１にそれぞれ設置される。第２スタンド６７は第１スタンド６６の外側に配置されるので、起立したときの高さが、第１スタンド６６が起立した高さより大きく設定される。第２スタンド６７は、第１スタンド６６と干渉する受け部７４が設けられている。受け部７４は、第１スタンド６６及び第２スタンド６７を基台５１に伏せたときに、基台５１と第１スタンド６６との間に位置する。
【００３７】
基台５１は、移動部６２の先端部６４を臨む位置に、基台５１の厚さ方向に貫通する貫通孔７５が形成されている。貫通孔７５は、移動部６２の先端部６４が配置されると共に、第１スタンド６６及び第２スタンド６７を伏せた状態にするときに係止片６８が挿入される部位である。
【００３８】
図７に戻って説明する。鍵盤モジュール５０は、横板５５と基台５１との間の鍵盤５４の端面にコネクタ７６が配置されている。コネクタ７６は、電源配線と信号配線とが並ぶ柔軟なフラットケーブル７７によって、音源モジュール１０のコネクタ２１と接続される。フラットケーブル７７は両端にコネクタ７８，７９が接続されている。フラットケーブル７７は、電源配線によって音源モジュール１０から鍵盤モジュール５０へ電力を供給し、ユーザが鍵盤５４を操作した情報（押鍵に関する情報）を信号配線によって鍵盤モジュール５０から音源モジュール１０へ送信する。鍵盤モジュール５０が必要な電力を音源モジュール１０が供給するので、電池の収容部などを鍵盤モジュール５０から省略できる。よって、鍵盤モジュール５０の構造を簡素化できる。
【００３９】
図９から図１２を参照して電子楽器９０について説明する。電子楽器９０は、音源モジュール１０の係合部４０，４８と鍵盤モジュール５０の突部５８、孔部５９（被係合部）とが機械的に接続され、フラットケーブル７７によって音源モジュール１０と鍵盤モジュール５０とが電気的に接続される装置である。図９は音源モジュール１０の背面部側から見た電子楽器９０の斜視図である。
【００４０】
上記のように、鍵盤モジュール５０の突部５８の直径は、音源モジュール１０の係合部４８の内径よりわずかに小さく、鍵盤モジュール５０の孔部５９の内径は、音源モジュール１０の軸部４１の直径よりわずかに大きく設定されているので、音源モジュール１０の係合部４０，４８を、鍵盤モジュール５０の孔部５９、突部５８（被係合部）にそれぞれ係合できる。係合部４０，４８及び孔部５９、突部５８は、それぞれ同一の直線上に位置するので、図９に示すように、係合部４０，４８及び孔部５９、突部５８を軸にして、鍵盤モジュール５０に対する音源モジュール１０の傾きを変えることができる。突部５８の直径は、係合部４８の切り込み４９の幅より大きく設定されているので、係合部４８及び突部５８を軸にして鍵盤モジュール５０に対する音源モジュール１０の傾きを変えるときに、係合部４８に挿入された突部５８が、切り込み４９から抜けないようにできる。
【００４１】
ここで、音源モジュール１０の係合部４０，４８を鍵盤モジュール５０の孔部５９、突部５８に係合するには、まず、音源モジュール１０の係合部４０のレバー４２を第１溝４５に入れ、軸部４１を軸方向に変位できる状態にする。次いで、鍵盤モジュール５０の突部５８を音源モジュール１０の係合部４８に端から挿入する。係合部４８は切り込み４９があるので、切り込み４９を利用して、突部５８の軸線と交わる斜め方向から係合部４８を突部５８に被せることができる。
【００４２】
鍵盤モジュール５０の突部５８に音源モジュール１０の係合部４８を被せた後、軸部４１の先端を軸方向へ押し込んで、軸部４１の先端を側壁５３へ突き当てながら側壁５３の孔部５９の位置に軸部４１の先端を近づける。軸部４１が孔部５９に合致すると、バネ４７が復元して軸部４１が孔部５９に挿通され、軸部４１が孔部５９に係合する。バネ４７によって軸部４１が付勢され軸方向に軸部４１が変位するので、鍵盤モジュール５０に音源モジュール１０を容易に装着できる。
【００４３】
また、音源モジュール１０の係合部４０，４８を鍵盤モジュール５０の孔部５９、突部５８から取り外すには、ピン等を使って、孔部５９に挿通された軸部４１の先端を軸方向へ押し込み、軸部４１を孔部５９から抜く。その状態で、音源モジュール１０の第１側部１３の位置を鍵盤モジュール５０の側壁５３に対してずらしながら、鍵盤モジュール５０の突部５８の軸線と交わる斜め方向へ音源モジュール１０を移動させて、係合部４８から突部５８を抜く。係合部４０はバネ４７により軸部４１を軸方向の外側へ向かって付勢するので、音源モジュール１０及び鍵盤モジュール５０の着脱を容易にできる。
【００４４】
軸部４１及びバネ４７は、縁部１４の長手方向の一方の端部に配置されるので、軸部４１及びバネ４７が縁部１４の両方の端部に配置される場合に比べて、音源モジュール１０及び鍵盤モジュール５０の着脱のときに操作する軸部４１の数を減らすことができる。よって、音源モジュール１０及び鍵盤モジュール５０の着脱を容易にできる。
【００４５】
側壁５３を貫通する孔部５９に軸部４１が挿入されるので、孔部５９を通して軸部４１に軸方向の力を加えて、軸部４１を孔部５９から押し出すことができる。従って、鍵盤モジュール５０から音源モジュール１０を取り外し易くできる。
【００４６】
鍵盤モジュール５０の孔部５９、突部５８（被係合部）は側壁５２，５３の上縁近くに設けられているので、側壁５２，５３の基台５１近くに被係合部が設けられる場合に比べて、鍵盤モジュール５０と音源モジュール１０とを着脱するときの突部５８の軸線と着脱時の音源モジュール１０とのなす角を小さくできる。よって、音源モジュール１０を着脱し易くできる。
【００４７】
なお、音源モジュール１０の係合部４０を鍵盤モジュール５０の孔部５９に係合する方法、及び、孔部５９から係合部４０を抜く方法は、上述の方法に限らない。例えば、係合部４０を孔部５９に係合するには、レバー４２（図６参照）を第２溝４６へ入れ、側壁５３の孔部５９の位置に軸部４１の先端を位置決めした後、レバー４２を第１溝４５へ入れて軸部４１を孔部５９に挿通（係合）させる。孔部５９から係合部４０を抜くには、レバー４２を第１溝４５から第２溝４６へ入れてしまえば良い。上述の方法と同様に、この方法によっても音源モジュール１０及び鍵盤モジュール５０の着脱を容易にできる。
【００４８】
図１０から図１２を参照して鍵盤モジュール５０に対して音源モジュール１０を傾ける機構を説明する。図１０は音源モジュール１０が平らな状態の電子楽器９０の正面図であり、図１１は図１０の矢印ＸＩ−ＸＩにおける電子楽器９０の断面図であり、図１２は第１スタンド６６で音源モジュール１０を支持した電子楽器９０の断面図である。図１０に示す矢印Ｗは鍵盤楽器９０の幅方向を意味し、図１０から図１２に示す矢印Ｄは鍵盤５４の奥行方向の奥側を意味し、図１１及び図１２に示す矢印Ｕは電子楽器９０の上方を意味する。図１１及び図１２では、理解を容易にするため、音源モジュール１０の内部構造の図示が省略されている。
【００４９】
図１１に示すように鍵盤モジュール５０は、移動部６２のカバー６０側の面にカバー６０へ向かって突出する傾斜部６５が設けられている。傾斜部６５は、基台５１の外縁とカバー６０の挿通孔６１との間に配置される。傾斜部６５は、鍵盤５４の奥側へ向かうにつれて上昇傾斜する傾斜面を有している。移動部６２は、先端部６４が、基台５１に形成された貫通孔７５内に配置される。移動部６２は、基台５１と移動部６２との間に介在するバネ８０により奥側（矢印Ｄ方向）へ付勢される。
【００５０】
基台５１は、貫通孔７５内に配置された先端部６４より上方（矢印Ｕ方向）にロック部８１が配置される。ロック部８１はカバー６０の一部である棒状の部位であり、貫通孔７５を横切り、幅方向（矢印Ｗ方向）へ延びる。ロック部８１は、第１スタンド６６に固定された係止片６８を係止するための部位である。係止片６８は軸７０を中心に基台５１に対して起立する方向へ向かって凸のＵ字状に形成された板バネであり、ロック部８１に係合する爪６９が先端に設けられている。
【００５１】
ここで、ユーザが鍵盤モジュール５０に対して音源モジュール１０を平らな状態に固定するには、まず、ねじりばね７２の付勢力に抗して軸７０を中心に第１スタンド６６を倒す。その結果、第１スタンド６６により受け部７４が押されて、ねじりばね７３の付勢力に抗して軸７１を中心に第２スタンド６７も倒れる。第１スタンド６６に固定した係止片６８が弾性変形しながら貫通孔７５に挿入され、爪６９がロック部８１に係合する。これにより第１スタンド６６及び第２スタンド６７の倒れた状態が維持される。
【００５２】
次に、係合部４０，４８が鍵盤モジュール５０に係合した音源モジュール１０の第２側部１５を基台５１へ近づけ、鍵盤モジュール５０のカバー６０、第１スタンド６６及び第２スタンド６７に音源モジュール１０の第２凹部２５を重ね合わせる。カバー６０からはみ出した爪部６３と音源モジュール１０の突起３０とが干渉すると、爪部６３が一体化した移動部６２はバネ８０により奥側（矢印Ｄ方向）へ付勢されているので、バネ８０の弾性変形によって爪部６３と突起３０とが係合する。これにより、音源モジュール１０は平らな状態で鍵盤モジュール５０に固定される。この状態で、音源モジュール１０の第１凸部２６ａは第１スタンド６６に当接し、音源モジュール１０の第２凸部３１はカバー６０の挿通孔６１に挿入される。移動部６２は、音源モジュール１０の第２側部１５の外側に端部が突出する。
【００５３】
鍵盤モジュール５０に対して音源モジュール１０を傾けた状態にするには、ユーザは、音源モジュール１０の第２側部１５の外側に突出した移動部６２の端部を押し込む。移動部６２と一体の爪部６３が突起３０から離脱し、移動部６２の先端部６４が係止片６８の爪６９を押すので、爪部６３と突起３０との係合が解除され、係止片６８（爪６９）とロック部８１との係合が解除される。移動部６２の移動に伴い、移動部６２から突出した傾斜部６５が音源モジュール１０の第２凸部６５を押し上げるので、その分だけ音源モジュール１０が係合部４０，４８を軸に移動して、音源モジュール１０の背面部１６と鍵盤モジュール５０のカバー６０とにスペースができる。そのスペースの分だけ、ねじりばね７２によって第１スタンド６６が傾けられ、第１スタンド６６に固定された係止片６８が貫通孔７５から外れる。
【００５４】
ユーザが移動部６２の押し込みを止めると、バネ８０が復元して移動部６２が元の位置へ戻る。移動部６２と一体の爪部６３と音源モジュール１０の突起３０とが干渉するので、音源モジュール１０と鍵盤モジュール５０とのスペースをなくすように音源モジュール１０にユーザが力を加えない限り、音源モジュール１０と鍵盤モジュール５０とにスペースが生じた状態が維持される。
【００５５】
次に、係合部４０，４８を軸にして音源モジュール１０の第２側部１５をユーザが持ち上げると、音源モジュール１０の傾きに伴い、第１スタンド６６及び第２スタンド６７が、ねじりばね７２，７３の復元力によって次第に立ち上がる。図１２に示すように第１スタンド６６の先端が第１凸部２６ａの位置に到達すると、第１スタンド６６が第１凹み２６に係合する。第１凸部２６ａがあるので、第１スタンド６６と第１凹み２６とを係合し易くできる。鍵盤モジュール５０に対する音源モジュール１０の傾きは、第１凹み２６に係合した第１スタンド６６の高さで決まる。音源モジュール１０を傾けることで、正面部１１の操作子１２を操作し易くできる。
【００５６】
鍵盤モジュール５０に対して音源モジュール１０を傾斜させることで、音源モジュール１０の背面部１６と鍵盤モジュール５０とにスペースを設けることができる。音源モジュール１０の背面部１６が備えるスピーカ２０が楽音を放射するので、傾けた音源モジュール１０の背面部１６と鍵盤モジュール５０とのスペースから楽音を放射できる。
【００５７】
音源モジュール１０の傾きを大きくすると、ねじりばね７２の復元力によって第１スタンド６６が第１凹み２６から離脱し、ねじりばね７３の復元力によって第２スタンド６７が次第に立ち上がる。第２スタンド６７の先端が第２凹み２７の位置に到達すると、第２スタンド６７が第２凹み２７に係合する。鍵盤モジュール５０に対する音源モジュール１０の傾きは、第２凹み２７に係合した第２スタンド６７の高さで決まる。
【００５８】
鍵盤モジュール５０に設けられた第１スタンド６６及び第２スタンド６７が基台５１から離れる方向へ立ち上がることによって、第１スタンド６６や第２スタンド６７に支持された音源モジュール１０が傾けられる。よって、音源モジュール１０にスタンドが設けられる場合に比べて、音源モジュール１０を簡易に支持して、音源モジュール１０を傾けられる。
【００５９】
第１スタンド６６及び第２スタンド６７はねじりばね７２，７３によって起立する方向へ付勢されているので、第１スタンド６６及び第２スタンド６７に触れなくても、音源モジュール１０を傾けるだけで、第１スタンド６６及び第２スタンド６７を自立させて音源モジュール１０を支持できる。
【００６０】
音源モジュール１０の傾きをさらに大きくすると、第１スタンド６６が第１凹み２６から離脱する（図９参照）。この状態で、音源モジュール１０のコネクタ２１へのフラットケーブル７７の接続や収容部１７に収容された電池の交換等を行うことができる。電子楽器９０は、鍵盤モジュール５０に音源モジュール１０を係合させる係合部４０，４８が、鍵盤モジュール５０に対して音源モジュール１０を傾けるための軸を兼用するので、簡易な構造にできる。また、音源モジュール１０と鍵盤モジュール５０とを互いに傾斜できると共に、簡単に付けたり外したりすることができる。音源モジュール１０の着脱が容易なので、好みの音源モジュール１０に簡単に交換できる。
【００６１】
係合部４０，４８は、音源モジュール１０の端面２２の正面部１１寄りに設けられた基部２３の長手方向の両側に設けられている。基部２３の位置が、端面２２の厚さ方向の中心から正面部１１側に偏っているので、電子楽器９０は、鍵盤５４の奥行方向の奥側、且つ、音源モジュール１０の基部２３の下方に、電気回路が形成された基板やコネクタ７６を配置できる。基板やコネクタ７６を隠すように横板５５を配置し、その上方に突部５８及び孔部５９（被係合部）が設けられる。その被係合部に音源モジュール１０の係合部４０，４８が係合する。係合部４０，４８及び被係合部の下方のスペースを活用して、基板やコネクタ７６を配置できるので、そのスペースを利用しない場合に比べて、電子楽器９０の奥行を小さくできる。
【００６２】
音源モジュール１０は、縁部１４の側面２４が外側に凸の湾曲状に形成されているので、係合部４０，４８を中心にして傾斜する音源モジュール１０の縁部１４と鍵盤モジュール５０（鍵盤５４）との隙間を小さくしても、音源モジュール１０の縁部１４と鍵盤モジュール５０の鍵盤５４とを干渉させ難くできる。音源モジュール１０の縁部１４と鍵盤５４との隙間を小さくできるので、ユーザに違和感を覚えさせ難くできる。
【００６３】
鍵盤モジュール５０は、鍵盤５４の奥行方向の端面にコネクタ７６が設けられており、音源モジュール１０の回転軸となる係合部４０，４８（図１参照）が該端面の上方に設けられるので、回転軸とコネクタ７６との距離を、側壁５３の高さ以下に小さくできる。そのため、係合部４０，４８を中心に音源モジュール１０の傾きを変更したときに、コネクタ２１，７６間の空間距離が大きく変化しないようにできる。その結果、フラットケーブル７７の長さを適度に調節しておけば、音源モジュール１０の傾きを変更したときに、フラットケーブル７７が過剰に余ったり緊張したりしないようにできる。
【００６４】
鍵盤モジュール５０側のコネクタ７６は第２スタンド６７と側板５３との間に配置される。音源モジュール１０側のコネクタ２１は鍵盤モジュール５０の側板５３側に配置されるので、第２スタンド６７と側板５２との間にコネクタ７６が配置される場合に比べて、フラットケーブル７７の配線長を短くできる。
【００６５】
音源モジュール１０は、係合部４０，４８を回転軸として鍵盤モジュール５０に支持されるので、鍵盤モジュール５０に対する音源モジュール１０の傾斜の変更と保持の機構を、第１スタンド６６や第２スタンド６７のように簡素化できる。また、音源モジュール１０は、第１スタンド６６及び第２スタンド６７によって規定される傾斜角を越えて、係合部４０，４８を中心にして鍵盤５４に近づく方向へ回転できるので、音源モジュール１０の背面部１６を大きく開放できる。その結果、音源モジュール１０の背面部１６に設けられた収容部１７の電池交換やコネクタ２１へのフラットケーブル７７の着脱等の作業を容易にできる。
【００６６】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６７】
上記実施の形態では、音源モジュール１０の係合部４０は軸状に形成され、係合部４８は孔状（環状）に形成される場合について説明したが、必ずしもこれに限られるものではない。係合部４０，４８は、音源モジュール１０に組み合わされる鍵盤モジュール５０の被係合部との関係で適宜設定される。例えば、係合部４０，４８を両方とも軸状にしたり孔状（環状）にしたりすることは当然可能である。
【００６８】
上記実施の形態では、鍵盤モジュール５０の被係合部は一方が突部５８、他方が孔部５９の場合について説明したが、必ずしもこれに限られるものではない。鍵盤モジュール５０の被係合部は、鍵盤モジュール５０に組み合わされる音源モジュール１０の係合部４０，４８との関係で適宜設定される。例えば、被係合部を両方とも軸状にしたり孔状（環状）にしたりすることは当然可能である。
【００６９】
上記実施の形態では、鍵盤モジュール５０は側壁５３が板状に形成されるので、側壁５３を厚さ方向に貫通する孔部５９（貫通孔）を被係合部とする場合について説明したが、必ずしもこれに限られるものではない。側壁５３がある程度の厚さであれば、貫通孔に代えて、音源モジュール１０の軸部４１が挿入される凹み（側壁５３を貫通しない）を被係合部とすることは当然可能である。
【００７０】
上記実施の形態では、音源モジュール１０の横幅は配列された鍵盤５４の配列長とほぼ等しく設定されていたが、音源モジュール１０の横幅が鍵盤５４の配列長より小さい場合は、それに合わせて、側壁５２及び／又は側壁５３を、鍵盤５４の配列方向に対して内側方向へ移動するか、あるいは、側壁５２及び／又は側壁５３の厚みを、鍵盤５４の配列方向に対して内側方向へ増加する。これにより、側壁５２に設けられた突部５８及び側壁５３に設けられた孔部５９を、音源モジュール１０の係合部４０，４８にそれぞれ係合させることができる。また、音源モジュール１０の横幅が鍵盤５４の配列長より大きい場合は、側壁５２及び／又は側壁５３を、鍵盤５４の配列方向に対して外側方向へ移動すればよい。このとき、側壁５２，５３が基台５１上に設けられる場合は、それに応じて基台５１も鍵盤５４の配列方向に対して外側に延長される。
【００７１】
上記実施の形態では、鍵盤モジュール５０の基台５１に第１スタンド６６及び第２スタンド６７が設けられる一方、音源モジュール１０の背面部１６に第１凹み２６及び第２凹み２７を設ける場合について説明したが、必ずしもこれに限られるものではない。これとは逆に、音源モジュール１０にスタンド（音源側支持部）を設ける一方、そのスタンドの先端を係合する凹み（鍵盤側支持部）を鍵盤モジュール５０に設けることは当然可能である。
【００７２】
上記実施の形態では、高さの異なる第１スタンド６６及び第２スタンド６７を設ける場合について説明したが、必ずしもこれに限られるものではなく、第１スタンド６６、第２スタンド６７のいずれかを省略することは当然可能である。第１スタンド６６、第２スタンド６７のいずれかを省略することによって音源モジュール１０の傾きを２段階に調整することはできないが、音源モジュール１０を平らな状態から傾いた状態に変更することは可能である。
【００７３】
上記実施の形態では、鍵盤モジュール５０に設けられた第１スタンド６６及び第２スタンド６７が、音源モジュール１０の背面部に設けられた第１凹み２６及び第２凹み２７に係合し、音源モジュール１０が傾いた状態で支持される場合について説明したが、必ずしもこれに限られるものではない。例えば、所望の角度に傾いた状態のままで固定できる保持構造を備えたスタンドを鍵盤モジュール５０に設け、該スタンドが、音源モジュール１０の背面部に設けられた一定の剛性をもつ平面からなる音源側支持部を支持することにより、音源モジュール１０が傾いた状態で保持される構成としてもよい。同様に、音源モジュール１０の背面部に所定の保持構造を持たせた場合には、鍵盤側支持部は単なる平面とすることもできる。
【符号の説明】
【００７４】
１０  音源モジュール
１１  正面部
１２  操作子
１４  縁部
１６  背面部
１７  収容部
２４  側面
２６  第１凹み（音源側支持部の一部）
２７  第２凹み（音源側支持部の一部）
４０，４８  係合部
４２  レバー（固定部の一部）
４６  第２溝（固定部の一部）
５０  鍵盤モジュール
５１  基台
５２，５３  側壁
５４  鍵盤
５８  突部（被係合部）
５９  孔部（被係合部）
６６  第１スタンド（鍵盤側支持部）
６７  第２スタンド（鍵盤側支持部）
９０  電子楽器
【図１】
2017049301.tif 000003
【図２】
2017049301.tif 000004
【図３】
2017049301.tif 000005
【図４】
2017049301.tif 000006
【図５】
2017049301.tif 000007
【図６】
2017049301.tif 000008
【図７】
2017049301.tif 000009
【図８】
2017049301.tif 000010
【図９】
2017049301.tif 000011
【図１０】
2017049301.tif 000012
【図１１】
2017049301.tif 000013
【図１２】
2017049301.tif 000014